(57)【要約】【課題】  ラベルが剥離されて排出される帯状台紙が本体から垂れ下がらないようにして、周囲に悪影響を与えないようにするとともに、まとめて捨てることができるようにして取扱を容易にする。【解決手段】  ラベルＬが仮着された帯状台紙Ｄを巻回した供給リール３を保持する本体１と、本体１に揺動可能に設けられたレバー６と、レバー６の揺動操作により供給リール３から帯状台紙Ｄを繰り出す繰り出し機構１０とを備え、帯状台紙Ｄを繰り出す過程で帯状台紙ＤからラベルＬを剥離して送出するもので、ラベルＬが剥離された帯状台紙Ｄを巻き取る巻取機構２０を備えた。巻取機構２０は、排出される帯状台紙Ｄを巻き取る巻取リール２１を回転可能に支持する巻取リール保持部２３と、巻取リール２１を回転駆動する駆動部３０とを備えて構成し、駆動部３０を、巻取リール２１に独立して回転力を付与する駆動源を備えて構成し、駆動源としてゼンマイ３１を用いた。【選択図】  図１
2009220856.tif 000002
【特許請求の範囲】
【請求項１】
ラベルが仮着された帯状台紙を巻回した供給リールを保持する本体と、該本体に揺動可能に設けられたレバーと、該レバーの揺動操作により上記供給リールから上記帯状台紙を繰り出す繰り出し機構とを備え、該帯状台紙を繰り出す過程で該帯状台紙からラベルを剥離して送出するハンドラベラにおいて、
上記ラベルが剥離された帯状台紙を巻き取る巻取機構を備え、該巻取機構を、上記本体に設けられ排出される帯状台紙を巻き取る巻取リールを回転可能に支持する巻取リール保持部と、該巻取リール保持部の巻取リールを回転駆動する駆動部とを備えて構成し、
該駆動部を、上記巻取リールに独立して回転力を付与する駆動源を備えて構成したことを特徴とするハンドラベラ。
【請求項２】
上記駆動源としてゼンマイを用いたことを特徴とする請求項１記載のハンドラベラ。
【請求項３】
上記本体に回転可能に設けられ上記巻取リールを回転させるための回転軸を備え、上記駆動部を、上記巻取リールの回転軸に対して回転可能に設けられ一端側がゼンマイを巻回する巻回部として構成され他端側がゼンマイを該巻回部に巻き取るためのツマミとして構成された回転体と、上記ゼンマイの解放時のみに上記回転体と上記回転軸とを接続するワンウエイクラッチとを備えて構成したことを特徴とする請求項２記載のハンドラベラ。
【発明の詳細な説明】
【技術分野】
【０００１】
本発明は、スーパーマーケット等で物品に価格等を表示したラベルをレバー操作により貼付するハンドラベラに関する。
【背景技術】
【０００２】
従来、この種のハンドラベラとしては、例えば、図４に示すようなものがある（例えば、特開平８−２１７０４０号公報等参照）。
これは、グリップ２を備えた本体１と、本体１に設けられラベルＬが仮着された帯状台紙Ｄを巻回した供給リール３を保持する供給リール保持部４と、グリップ２に対峙して本体１に揺動可能に設けられるとともにグリップ２から離間した離間位置Ｘ及びグリップ２側へ近接した近接位置Ｙに移動可能なレバー６と、レバー６を常時離間位置Ｘ側に付勢するスプリング７と、レバー６が近接位置Ｙから離間位置Ｘに移動（図中Ｒｂ方向）する際に駆動されて供給リール保持部４に保持した供給リール３から帯状台紙Ｄを繰り出す繰り出し機構１０と、繰り出し機構１０が帯状台紙Ｄを繰り出す過程で剥離板１６により帯状台紙Ｄを折り返して帯状台紙ＤからラベルＬを剥離して本体１から排出し先端のローラ１７の押圧によりラベルＬを物品に貼付可能にするラベル剥離機構１５と、レバー６が離間位置Ｘから近接位置Ｙに移動（図中Ｒａ方向）する際にレバー６により駆動されて供給リール３から繰り出された帯状台紙Ｄに仮着されたラベルＬに所用の印字を行なう印字機構１８とを備えている。
【０００３】
繰り出し機構１０は、周面に帯状台紙Ｄの列状の孔（図示せず）に係合するピン１１を有し回転軸１２ａを中心に回転可能な回転ドラム１２と、回転ドラム１２とレバー６とを連係しレバー６の揺動により回転ドラム１２を回転させるリンク機構１３と、回転ドラム１２の回転方向を一方向に規制する周知のワンウエイクラッチ（図示せず）とを備えている。これにより、繰り出し機構１０においては、レバー６が離間位置Ｘから近接位置Ｙに移動（図中Ｒａ方向）する際に、ワンウエイクラッチが空振りして回転ドラム１２の停止状態を保持し、レバー６が近接位置Ｙから離間位置Ｘに移動（図中Ｒｂ方向）する際にワンウエイクラッチが接続されてリンク機構１３を介して回転ドラム１２を回転させ、帯状台紙Ｄを繰り出す。
【０００４】
そして、このハンドラベラを用いて、物品にラベルＬを貼付するときは、グリップ２に手を掛けてレバー６を握ると、レバー６が離間位置Ｘから近接位置Ｙに移動し（図中Ｒａ方向）、先ず、レバー６に保持された印字機構１８が情報をラベルＬに印字する。このとき、繰り出し機構１０の回転ドラム１２は停止状態を保持する。次に、レバー６の把持を開放すると、レバー６はスプリング７の付勢力により近接位置Ｙから離間位置Ｘに移動（図中Ｒｂ方向）させられる。これにより、ワンウエイクラッチが接続されてリンク機構１３を介して回転ドラム１２が回転させられ、帯状台紙Ｄが繰り出される。この帯状台紙Ｄの繰り出し時に、ラベル剥離機構１５の剥離板１６によりラベルＬが帯状台紙Ｄから剥離して直進して排出される。そして、このラベルＬをローラ１７を介して物品に押し当てて、本体１を手前に引けば、ラベルＬが物品に貼付される。ラベルＬが剥離された帯状台紙Ｄは、繰り出し機構１０の回転ドラム１２の後流側へ送られ、本体１から垂れ下がって排出されていく。そして、排出された帯状台紙Ｄは、適時に、手で切断するようにしている。
【０００５】
【特許文献１】特開平８−２１７０４０号公報
【発明の開示】
【発明が解決しようとする課題】
【０００６】
ところで、この従来のハンドラベラにおいては、ラベルＬが剥離されて排出され本体１から垂れ下がった帯状台紙Ｄは、適時に、手で切断するようにしているが、逐一、手作業で切り取りしなければならないので、それだけ、作業が煩雑になっているという問題があった。また、切り取るまでは、帯状台紙Ｄは本体１から垂れ下がった状態になっているので、周囲の物品に接触しやすく、周囲の物品が食品や医療用品など、清潔を要求されるものの場合には、衛生を損ねてしまうなどの悪影響を与えることがあるという問題があった。
【０００７】
本発明は上記の問題点に鑑みて為されたもので、ラベルが剥離されて排出される帯状台紙が本体から垂れ下がらないようにして、周囲に悪影響を与えないようにするとともに、まとめて捨てることができるようにして取扱を容易にしたハンドラベラを提供することを目的とする。
【課題を解決するための手段】
【０００８】
上記課題を解決するため、本発明のハンドラベラは、ラベルが仮着された帯状台紙を巻回した供給リールを保持する本体と、該本体に揺動可能に設けられたレバーと、該レバーの揺動操作により上記供給リールから上記帯状台紙を繰り出す繰り出し機構とを備え、該帯状台紙を繰り出す過程で該帯状台紙からラベルを剥離して送出するハンドラベラにおいて、上記ラベルが剥離された帯状台紙を巻き取る巻取機構を備え、該巻取機構を、上記本体に設けられ排出される帯状台紙を巻き取る巻取リールを回転可能に支持する巻取リール保持部と、該巻取リール保持部の巻取リールを回転駆動する駆動部とを備えて構成し、該駆動部を、上記巻取リールに独立して回転力を付与する駆動源を備えて構成にしている。
【０００９】
これにより、ラベルを物品に貼付するときは、レバーを操作すると、繰り出す繰り出し機構が作動して、供給リールから帯状台紙を繰り出されるとともに、帯状台紙を繰り出す過程で帯状台紙からラベルが剥離されて送出され、この送出されたラベルを物品に貼付する。そして、ラベルが剥離された帯状台紙は、巻取機構により巻き取られる。このため、ラベルが剥離された帯状台紙は巻き取られるので、従来のようにラベルが剥離されて排出された帯状台紙が本体から垂れ下がることがなく、逐一、手作業で切り取りしなくても良くなることから、貼付作業が容易になる。また、帯状台紙が本体から垂れ下がることがないので、周囲の物品に接触することもなく、例えば、周囲の物品が食品や医療用品など、清潔を要求されるものの場合に、衛生を損ねてしまうなどの悪影響を与える事態が防止される。
【００１０】
また、巻取機構の駆動部を、巻取リールに独立して回転力を付与する駆動源を備えて構成したので、巻取リールでの巻取が容易に行なわれるとともに、巻取が確実に行なわれる。
【００１１】
そして、必要に応じ、上記駆動源としてゼンマイを用いた構成としている。比較的簡易な機構で構成でき、電動タイプと比較してコストダウンを図ることができる。
【００１２】
この場合、上記本体に回転可能に設けられ上記巻取リールを回転させるための回転軸を備え、上記駆動部を、上記巻取リールの回転軸に対して回転可能に設けられ一端側がゼンマイを巻回する巻回部として構成され他端側がゼンマイを該巻回部に巻き取るためのツマミとして構成された回転体と、上記ゼンマイの解放時のみに上記回転体と上記回転軸とを接続するワンウエイクラッチとを備えて構成したことが有効である。駆動部を、簡易な機構で実現できる。
【発明の効果】
【００１３】
本発明のハンドラベラによれば、ラベルが剥離された帯状台紙を巻き取ることができるので、従来のようにラベルが剥離されて排出された帯状台紙が本体から垂れ下がることがなく、逐一、手作業で切り取りしなくても良くなることから、ラベルの貼付作業を容易に行なうことができる。また、帯状台紙が本体から垂れ下がることがないので、周囲の物品に接触することもなく、例えば、周囲の物品が食品や医療用品など、清潔を要求されるものの場合に、衛生を損ねてしまうなどの悪影響を与える事態を防止することができる。
また、巻取機構の駆動部を、巻取リールに独立して回転力を付与する駆動源を備えて構成したので、巻取リールでの巻取を容易に行なうことができるとともに、巻取を確実に行なうことができる。
【発明を実施するための最良の形態】
【００１４】
以下、添付図面に基づいて、本発明の実施の形態に係るハンドラベラについて詳細に説明する。尚、上記と同様のものには同一の符号を付して説明する。
図１乃至図３に示すように、本発明の実施の形態に係るハンドラベラは、ラベルＬが仮着された帯状台紙Ｄを繰り出し、帯状台紙Ｄを繰り出す過程で帯状台紙ＤからラベルＬを剥離して物品に貼付できるようにしたものである。帯状台紙Ｄには、帯状台紙Ｄを繰り出すための孔Ｄａ（図３）が長手方向に沿って列設されている。
【００１５】
実施の形態に係るハンドラベラは、グリップ２を備えた本体１と、本体１に設けられラベルＬが仮着された帯状台紙Ｄを巻回した供給リール３を保持する供給リール保持部４と、グリップ２に対峙して本体１に揺動軸５を中心に揺動可能に設けられるとともにグリップ２から離間した離間位置Ｘ及びグリップ２側へ近接した近接位置Ｙに移動可能なレバー６と、レバー６を常時離間位置Ｘ側に付勢するスプリング７と、レバー６が近接位置Ｙから離間位置Ｘに移動（図中Ｒｂ方向）する際に駆動されて供給リール保持部４に保持した供給リール３から帯状台紙Ｄを繰り出す繰り出し機構１０とを備えている。
【００１６】
繰り出し機構１０は、図１及び図２に示すように、端面に帯状台紙Ｄの列状の孔Ｄａ（図３）に係合するピン１１有し本体に固定された回転軸１２ａを中心に回転可能な回転ドラム１２と、回転ドラム１２とレバー６とを連係しレバー６の揺動により回転ドラム１２を回転させるリンク機構１３と、回転ドラム１２の回転方向を一方向（Ｐ方向）に規制する周知のワンウエイクラッチ（図示せず）とを備えている。これにより、繰り出し機構１０においては、レバー６が離間位置Ｘから近接位置Ｙに移動（図中Ｒａ方向）する際に、ワンウエイクラッチが空振りして回転ドラム１２を停止状態を保持し、レバー６が近接位置Ｙから離間位置Ｘに移動（図中Ｒｂ方向）する際にワンウエイクラッチが接続されてリンク機構１３を介して回転ドラム１２を回転させ、帯状台紙Ｄを繰り出す。
【００１７】
また、図１に示すように、実施の形態に係るハンドラベラは、繰り出し機構１０が帯状台紙Ｄを繰り出す過程で帯状台紙ＤからラベルＬを剥離して本体１から排出するラベル剥離機構１５を備えている。ラベル剥離機構１５は、帯状台紙Ｄを折り返して帯状台紙ＤからラベルＬを剥離する剥離板１６を備えている。剥離板１６の後流側であって本体１の先端には、本体１から排出したラベルＬを押圧により物品に貼付可能にするローラ１７が設けられている。
更に、レバー６を延長した延長部６ａには、印字機構１８が支持されている。印字機構１８は、レバー６が離間位置Ｘから近接位置Ｙに移動（図中Ｒａ方向）する際にレバー６により駆動されて供給リール３から繰り出された帯状台紙Ｄに仮着されたラベルＬに所用の印字を行なう。
【００１８】
また、実施の形態に係るハンドラベラは、ラベルＬが剥離された帯状台紙Ｄを巻き取る巻取機構２０を備えている。巻取機構２０は、本体１に設けられ排出される帯状台紙Ｄを巻き取る巻取リール２１を回転可能に支持する巻取リール保持部２３と、巻取リール保持部２３の巻取リール２１を回転駆動する駆動部３０とを備えて構成されている。
【００１９】
巻取リール保持部２３は、図２に示すように、レバー６の下側において、本体１に延設された支持板２４に設けられている。巻取リール保持部２３において、巻取リール２１は筒状に形成されて、回転軸２２と同軸に配置されている。回転軸２２は、繰り出し機構１０の回転ドラム１２の回転軸１２ａと平行に設けられ、支持板２４に設けた支持ベアリング２５に回転可能に支持されている。また、回転軸２２は、支持板２４より突出した延設部２２ａを有している。巻取リール２１は、回転軸２２に保持ベアリング２６を介して回転可能に保持されている。また、巻取リール２１と回転軸２２との間には、巻取リール２１に巻取方向（図中Ｑ）の回転のみ伝達するワンウエイクラッチ２７が設けられている。
【００２０】
また、図２及び図３に示すように、巻取リール２１には、帯状台紙Ｄの始端を巻取リール２１に固定するためのクリップ２８が設けられている。クリップ２８はＵ字状に形成され、巻取リール２１の表面であって軸方向に沿う互いに対向する位置に形成された一対の凹条２９に差し込まれて、帯状台紙Ｄの始端を挾持するものである。
【００２１】
駆動部３０は、巻取リール保持部２３の巻取リール２１を上記回転ドラム１２の回転方向（Ｐ方向）とは逆の方向（Ｑ方向）に回転駆動するものであり、巻取リール２１に独立して回転力を付与する駆動源を備えて構成されている。駆動源としては、渦巻状のゼンマイ３１が用いられる。
【００２２】
詳しくは、駆動部３０は、巻取リール２１の回転軸２２の延設部２２ａに対して回転可能に設けられ一端側がゼンマイ３１を巻回する巻回部３３として構成され他端側がゼンマイ３１を巻回部３３に巻き取るためのツマミ３４として構成された回転体３５を備えている。また、駆動部３０は、図２（ｂ）に示すように、ゼンマイ３１の解放時（巻き戻し時）のみに回転体３５と回転軸２２とを接続するワンウエイクラッチ３６を備えている。ツマミ３４は筒状に形成されており、ワンウエイクラッチ３６は、ツマミ３４の内部に設けられている。ゼンマイ３１は、本体１に固定されツマミ３４を露出させたカップ状のカバー３７に覆われている。ゼンマイ３１の一端は回転体３５の巻回部３３に固定され、他端は本体１側に固定され、これにより、ゼンマイ３１は、図３（ａ）中、Ｔａ方向にツマミ３４を回転させることにより、巻回部３４に巻き取られ、解放時には、回転体３５を、図３（ｃ）中、Ｔｂ方向に回転させる。この回転体３５のＴｂ方向の回転時に、ワンウエイクラッチ３６及びワンウエイクラッチ２７が接続されて、巻取リール２１を巻取方向（Ｑ方向）に回転せしめる。
【００２３】
従って、この実施の形態に係るハンドラベラによりラベルＬを物品に貼付するときは、先ず、図３（ａ）に示すように、帯状台紙Ｄの始端を巻取リール２１にクリップ２８で止め、この状態で、ツマミ３４をＴａ方向に回転させて、ゼンマイ３１を巻く。これにより、巻取リール２１には、巻取方向（Ｑ方向）の回転力が付与され、帯状台紙Ｄには、張力が付与される。
そして、この状態で、図１に示すように、グリップ２に手を掛けてレバー６を握ると、レバー６が離間位置Ｘから近接位置Ｙに移動し（図中Ｒａ方向）、先ず、レバー６に保持された印字機構１８が情報をラベルＬに印字する。このとき、繰り出し機構１０の回転ドラム１２は停止状態を保持する。また、巻取機構２０の巻取リール２１も、停止状態を保持する。
【００２４】
次に、レバー６の把持を開放すると、レバー６はスプリング７の付勢力により近接位置Ｙから離間位置Ｘに移動（図中Ｒｂ方向）させられる。これにより、回転ドラム１２のワンウエイクラッチが接続されてリンク機構１３を介して回転ドラム１２が回転させられ、帯状台紙Ｄが繰り出される。この帯状台紙Ｄの繰り出し時に、ラベル剥離機構１５の剥離板１６によりラベルＬが帯状台紙Ｄから剥離して直進して排出される。そして、このラベルＬをローラ１７を介して物品に押し当てて、本体１を手前に引けば、ラベルＬが物品に貼付される。
【００２５】
そして、ラベルＬが剥離された帯状台紙Ｄは、繰り出し機構１０の回転ドラム１２の後流側へ送られるとともに、巻取リール２１に巻き取られる。即ち、図１，図２及び図３（ｂ）に示すように、巻かれたゼンマイ３１により、巻取リール２１には、巻取方向（Ｑ方向）の回転力が付与され、帯状台紙Ｄには張力が付与されているので、この巻取リール２１の回転力により、帯状台紙Ｄは巻取リール２１に巻き取られる。このようにして、レバー６の把持及び開放を繰り返すことにより、所要の情報が印刷されたラベルＬが順次排出され、ラベルＬを物品に貼付することができる。
【００２６】
この場合、ラベルＬが剥離された帯状台紙Ｄは、巻取リール２１に巻き取られるので、従来のようにラベルＬが剥離されて排出された帯状台紙Ｄが本体１から垂れ下がることがなく、逐一、手作業で切り取りしなくても良くなることから、貼付作業が容易になる。また、帯状台紙Ｄが本体１から垂れ下がることがないので、周囲の物品に接触することもなく、例えば、周囲の物品が食品や医療用品など、清潔を要求されるものの場合に、衛生を損ねてしまうなどの悪影響を与える事態が防止される。特に、駆動部３０は、帯状台紙Ｄを排出されると同時に巻き取ることから、帯状台紙Ｄが弛むことなく巻き取られていき、周囲の物品に接触することが防止される。また、駆動部３０は、駆動源としてゼンマイ３１を用いているので、簡易な機構であり、電動タイプ等と比較してコストダウンが図られる。
そして、ある程度巻取リール２１に巻き取られたラベルＬが溜まったならば、図２（ｂ）に示すように、クリップ２８を外して、巻き取られた帯状台紙Ｄをリールから抜き取ればよい。
【００２７】
尚、上記実施の形態において、巻取リールの回転方向は、一方向（Ｑ方向）に設定したが、逆になるようにしても良く、適宜変更して差支えない。また、駆動部は、電動モータやエアモータ等のアクチュエータで構成してもよく、要するに、巻取リー２１に独立して回転力を付与するものであればどのようなものでも良い。但し、ゼンマイ３１を用いた方が、安価にすることができるので有利である。
【図面の簡単な説明】
【００２８】
【図１】本発明の実施の形態に係るハンドラベラを示す図である。
【図２】本発明の実施の形態に係るハンドラベラの要部を示す図であり、（ａ）は正面図、（ｂ）は側面断面図である。
【図３】本発明の実施の形態に係るハンドラベラの巻取機構の要部を示す図であり、（ａ）（ｂ）は巻取リールに帯状台紙を装着するときの状態を示す斜視図、（ｃ）は巻取リールの回転状態を示す斜視図である。
【図４】従来のハンドラベラの一例を示す図である。
【符号の説明】
【００２９】
Ｌ  ラベル
Ｄ  帯状台紙
Ｄａ  孔
１  本体
２  グリップ
３  供給リール
４  供給リール保持部
５  揺動軸
６  レバー
Ｘ  離間位置
Ｙ  近接位置
７  スプリング
１０  繰り出し機構
１１  ピン
１２  回転ドラム
１２ａ  回転軸
１３  リンク機構
Ｐ  一方向
１５  ラベル剥離機構
１６  剥離板
１７  ローラ
１８  印字機構
２０  巻取機構
２１  巻取リール
２２  回転軸
２２ａ  延設部
２３  巻取リール保持部
２４  支持板
２５  支持ベアリング
２６  保持ベアリング
２７  ワンウエイクラッチ
２８  クリップ
２９  凹条
３０  駆動部
Ｑ  巻取方向
３１  ゼンマイ
３３  巻回部
３４  ツマミ
３５  回転体
３６  ワンウエイクラッチ
３７  カバー
【図１】
2009220856.tif 000003
【図２】
2009220856.tif 000004
【図３】
2009220856.tif 000005
【図４】
2009220856.tif 000006